(57)【要約】【課題】展示室に展示された商品群を良好に目立たせることができて、販売額の増加を良好に図ることができる自動販売機の照明装置を提供する。【解決手段】外扉２に、複数の商品見本３が例えば、上段、中段、下段の各展示部５に展示されている展示室６が設けられた自動販売機において、上段の展示部５Ａにおける上部および左右両側部に、複数の発光ダイオード２２をライン状に続くように並べて配設した。これらの発光ダイオード２２を点灯、点滅、あるいは、時間差を有して順次点灯させることにより、上段の展示部５Ａ全体やこの展示部５Ａの商品群全部を良好に目立たせることができ、集客力を良好に高めることができる。【選択図】図１
2008021192.tif 000002
【特許請求の範囲】
【請求項１】
外扉に、複数の商品見本が上下に複数段設けられた展示部に展示されている自動販売機において、上段の展示部における上部および左右両側部に、複数の発光ダイオードをライン状に続くように並べて配設した自動販売機の照明装置。
【請求項２】
上段以外の展示部の少なくとも一部の展示部における左右両側部に、複数の発光ダイオードをライン状に並べて配設した請求項１記載の自動販売機の照明装置。
【請求項３】
各段の展示部の下方に並べて配設されている商品選択釦に内蔵された発光ダイオードと、請求項１または２に記載の発光ダイオードとを、組み合わせて発光可能に構成した自動販売機の照明装置。
【請求項４】
ライン状に並べられた複数の発光ダイオードの点灯と消灯とを制御してイルミネーション効果を有するよう構成した請求項１〜３の何れか１項に記載の自動販売機の照明装置。
【請求項５】
商品が販売された際に発光ダイオードを点滅させながら作動するルーレット機能を付加させた請求項１〜４の何れか１項に記載の自動販売機の照明装置。
【請求項６】
商品見本として、実際の商品の後部に相当する部分がないもので構成し、この実際の商品の後部に相当する空間に、前記発光ダイオードを備えたディスプレイ部を配設した請求項１〜５の何れか１項に記載の自動販売機の照明装置。
【発明の詳細な説明】
【技術分野】
【０００１】
本発明は自動販売機の照明装置に関する。
【背景技術】
【０００２】
自動販売機においては、外扉に、商品展示棚の上に複数の商品見本を展示している展示室が設けられており、この背面部には、商品の情報や広告を示すポスターパネル等が展示されている。前記展示室は一般に蛍光灯などの照明装置により照明されている。
【０００３】
集客力を高めるべく、照明装置として複数の発光ダイオードを設けて展示室内を照明するものが、例えば、特許文献１等に開示されている。
前記発光ダイオードは、商品見本に対応して、例えば商品見本毎に設けられ、商品見本内部や、商品見本の上方箇所、または商品展示棚における商品見本の前方位置などに配設されており、例えば、各場所に、赤色、緑色、青色の発光ダイオードを１組ずつ設けることで、種々の色彩で照明することができる構成とされている。
【０００４】
このような構成において、特定の商品見本だけ、他の商品見本とは異なる色で照明することで、前記特定の商品見本を目立たせることができ、目立たせた商品見本に対する商品販売額の増加を図ることができる。
【０００５】
また、商品見本が並べられている商品展示棚の下方には、商品見本に対応して商品選択釦が並べられて配設されているが、この商品選択釦には、貨幣が投入された際に投入金額が販売価格以上である際に点灯される販売可ランプが内蔵されている。この販売可ランプとして、赤色、緑色、青色の発光ダイオードを配設して、種々の色彩で発光可能に構成し、販売可状態に点灯させるだけでなく、販売待機状態において、商品展示棚に沿って並べられた複数の商品選択釦に内蔵された販売可ランプを時間差を有して順次横方向に流れるように点灯させることで、自動販売機を目立たせるいわゆるイルミネーション効果を図ったものも既に知られている。
【特許文献１】特開２００２−３５８５６１公報
【発明の開示】
【発明が解決しようとする課題】
【０００６】
しかしながら、上記特許文献１等に開示された従来構成の自動販売機では、単に発光ダイオードを用いて特定の商品見本の照明を行うだけであるので、特定の商品見本を目立たせることはできても、展示室に展示された商品群全体としてはあまり目立たず、商品購入対象者に対して注目を集めることがないため、集客力を高める効果を十分には発揮できなかった。
【０００７】
また、商品選択釦に内蔵された販売可ランプを順次横方向に流れるように点灯させる構成でも、点灯対象が単に商品選択釦の販売可ランプだけであるので、販売対象者へのアピール度合いが小さかった。
【０００８】
本発明は上記課題を解決するもので、展示室に展示された商品群を良好に目立たせることができて、販売額の増加を良好に図ることができる自動販売機の照明装置を提供することを目的とするものである。
【課題を解決するための手段】
【０００９】
上記課題を解決するために本発明の自動販売機の照明装置は、外扉に、複数の商品見本が上下に複数段設けられた展示部に展示されている自動販売機において、上段の展示部における上部および左右両側部に、複数の発光ダイオードをライン状に続くように並べて配設したことを特徴とする。
【００１０】
この構成により、上段の展示部における上部および左右両側部にライン状に続くように並べて配設された複数の発光ダイオードを点灯、点滅、あるいは、時間差を有して順次点灯させることにより、上段の展示部全体やこの展示部の商品群全部を良好に目立たせることができ、集客力を良好に高めることができる。
【００１１】
また、本発明の自動販売機の照明装置は、上記構成に加えて、上段以外の展示部の少なくとも一部の展示部における左右両側部に、複数の発光ダイオードをライン状に並べて配設したことを特徴とする。
【００１２】
この構成により、上段の展示部並びにこの商品群だけでなく、上段よりも下方の段の展示部全体、並びにこの展示部の商品群全体も良好に目立たせることができ、集客力を良好に高めることができる。
【００１３】
また、本発明の自動販売機の照明装置は、各段の展示部の下方に並べて配設されている商品選択釦に内蔵された発光ダイオードと、請求項１または２に記載の発光ダイオード（すなわち、上段の展示部の上部や各段の展示部の両側部にライン状に並べて配設されている発光ダイオード）とを、組み合わせて発光可能に構成したことを特徴とする。
【００１４】
この構成により、各段の展示部を上下左右の四方から囲むように、点灯、点滅、あるいは、時間差を有して順次点灯させることができ、各段の展示部の商品群をより良好に目立たせることができて、集客力をさらに高めることができる。
【００１５】
また、本発明は、ライン状に並べられた複数の発光ダイオードの点灯と消灯とを制御してイルミネーション効果を有するよう構成したことを特徴とする。
これらの構成を採用することで、各段の展示部の商品群を良好に目立たせることができ、集客力を高めることができる。
【００１６】
また、本発明は、商品が販売された際に発光ダイオードを点滅させながら作動するルーレット機能を付加させたことを特徴とする。
この構成により、発光ダイオードをルーレット部として機能させることもでき、ルーレット機能により面白さを加えることができ、これによっても、集客力を高めることができる。
【００１７】
また、本発明は、商品見本として、実際の商品の後部に相当する部分がないもので構成し、この実際の商品の後部に相当する空間に、前記発光ダイオードを備えたディスプレイ部を配設したことを特徴とする。
【００１８】
この構成により、商品見本の代わりに、他の自動販売機用の商品見本や商品を配置することを阻止できる。
【発明の効果】
【００１９】
本発明によれば、上段の展示部における上部および左右両側部に、複数の発光ダイオードをライン状に続くように並べて配設し、これらの発光ダイオードを点灯、点滅、あるいは、時間差を有して順次点灯させることにより、上段の展示部全体やこの展示部の商品群全部を良好に目立たせることができ、集客力を良好に高めることができる。
【００２０】
また、さらに、上段以外の展示部の少なくとも一部の展示部における左右両側部に、複数の発光ダイオードをライン状に並べて配設したことにより、上段の展示部並びにこの商品群だけでなく、これよりも下方の段の展示部全体、並びにこの展示部の商品群全体も良好に目立たせることができ、集客力を良好に高めることができる。
【００２１】
また、さらに、各段の展示部の下方に並べて配設されている商品選択釦に内蔵された発光ダイオードと、請求項１または２に記載の発光ダイオードとを、組み合わせて発光可能に構成したことにより、各段の展示部を上下左右の四方から囲むように、点灯、点滅、あるいは、時間差を有して順次点灯させることができ、各段の展示部の商品群をより良好に目立たせることができ、集客力をさらに高めることができる。
【００２２】
また、ライン状に並べられた複数の発光ダイオードの点灯と消灯とを制御してイルミネーション効果を有するよう構成したことにより、複数の発光ダイオードにおいて、光が流れるように表示させることなどができて、各段の展示部の商品群をより良好に目立たせることができ、集客力をさらに高めることができる。
【００２３】
また、商品が販売された際に発光ダイオードを点滅させながら作動するルーレット機能を付加させたことにより、発光ダイオードをルーレット部として機能させて、ルーレット機能により面白さを加えることができ、これによっても、集客力を高めることができる。
【００２４】
また、商品見本として、実際の商品の後部に相当する部分がないもので構成し、この実際の商品の後部に相当する空間に、前記発光ダイオードを備えたディスプレイ部を配設することにより、商品見本の代わりに、他の自動販売機用の商品見本や商品を配置することを阻止でき、規格外の商品見本を取り付けたり、このよう規格外の商品見本に対応する商品の販売を阻止したりすることができる。
【発明を実施するための最良の形態】
【００２５】
以下、本発明の実施の形態を図面を参照しながら説明する。
図１、図２に示すように、自動販売機本体１に開閉自在に取り付けられた外扉２の上部には、複数の商品見本３が上下３段の各見本棚４上にそれぞれ並べられて展示されている、上段の展示部５Ａ（５）、中段の展示部５Ｂ（５）、下段の展示部５Ｃ（５）からなる展示室６が設けられている。また、各展示部５の商品見本３に対応するように、正面から見て各見本棚４の直下位置に、商品を選択する商品選択釦７が並設されている。
【００２６】
また、外扉２には、利用者がコイン投入口８から投入したコインなどの金額を表示する投入金額表示部９や、釣銭や投入金を返却させるための返却レバー１０、商品が払い出される商品取出口１１などが設けられている。商品選択釦７には、投入金額が商品価格以上となった場合に、その商品に対応して点灯する販売可ランプ１７（発光ダイオードで構成されている）と、売切時に点灯する売切ランプとがそれぞれ内蔵されている。
【００２７】
自動販売機には、外扉２の裏面に、自動販売機の各部を制御する制御部１２と、自動販売機の各種の設定を行う設定装置１３とが設けられ、制御部１２には、自動販売機の設定内容を含む各種のデータを記憶する記憶部（図示せず）が接続されている。なお、例えば、設定装置１３には、複数の入力キーからなる入力部１４と、液晶画面などの表示部１５などが設けられている。また、１６は、断熱性を有し、自動販売機本体１内の商品収納部を開閉する内扉である。
【００２８】
図３に示すように、各展示部５において、商品見本３は平面視して断面形状略半円形（いわゆる略かまぼこ形状）のものが用いられており、これらの商品見本３が、見本棚４上に左右に並べられている。そして、商品見本３のすぐ後方には、前後方向に対してあまり隙間を空けない状態で、各展示部５の背面部分の略全面にわたって、ディスプレイ部２０が配設されており、このディスプレイ部２０には、商品情報や商品広告等（図示せず）が記載されている。すなわち、商品見本３が、実際の商品の後部に相当する部分がないもので構成され、この実際の商品の後部に相当する空間に、ディスプレイ部２０が配設されている。なお、見本棚４内には、商品見本３や背面ディスプレイ部２０を照らす照明装置としての蛍光灯２１が内蔵されている。また、図３における２３は、展示室６の前面を覆う透明な電照パネル、２４は、冷温・商品価格表示板、２５は展示室６の背面（裏面）部分をなす外扉背面パネルで、この外扉背面パネル２５は、外扉２を開けた状態で、外扉２の本体部分から後方に向けて開閉可能に取り付けられている。
【００２９】
図１などに示すように、特に本発明においては、上段の展示部５Ａに配設されている背面ディスプレイ部２０は、その上辺部分と左右の両側辺部分とに、枠状に囲むような枠状部２０ａが設けられているとともに、この枠状部２０ａに沿って、複数の発光ダイオード２２がライン状に続くように所定間隔毎に並べて配設されている。
【００３０】
そして、設定装置１３の入力部１４に対して所定の入力操作を行うことで、これら複数の発光ダイオード２２を、全て点灯させたり（図４（ａ）参照）、あるいは所定時間毎（例えば、数秒毎）に点灯点滅させたりできるよう構成されている。また、一つおきに、交互に点灯させる（間欠交互点滅と称す）ことも設定可能（図４（ｂ）参照）に構成され、さらには、商品選択釦７に設けられている販売可ランプ１７をも同時に点灯させること（図４（ｃ）参照）も可能に構成されている。
【００３１】
なお、背面ディスプレイ部２０内には、発光ダイオード２２の配線が配設されている。また、前記発光ダイオード２２としては、赤色、緑色、青色等の単色の発光ダイオード２２でもよいが、これら３色（赤色、緑色、青色）の発光ダイオード２２を備えて、いろいろな色を表示できるものを用いてもよい。
【００３２】
上記構成において、上段の展示部５Ａには、上部および左右両側部の枠状部２０ａに沿って、ライン状に続くように発光ダイオード２２が並べて配設されており、図４（ａ）に示すように、これら複数の発光ダイオード２２を販売待機時に、点灯させることにより、上段の展示部５Ａ全体、並びにこの展示部５Ａに陳列された商品見本３の全部を良好に目立たせてイルミネーション効果を発揮させることができて、集客力を高めることができる。また、これに代えて、全ての発光ダイオード２２を所定時間毎に点滅させることで、さらに、上段の展示部５Ａ全体を目立たせて、集客力を高めることができる。また、ライン状に並べられた発光ダイオード２２を交互に点灯させる（間欠交互点滅と称す；図４（ｂ）参照）ことで、上段の展示部５Ａを一層目立たせることも可能であり、集客力を高めることができる。
【００３３】
また、販売待機時に、図４（ｃ）に示すように、商品選択釦７に設けられている販売可ランプ１７をも同時に点灯させることで、上段の展示部５Ａを上下左右の四方から囲むように、点灯、点滅などさせることができ、さらに、上段の展示部５Ａを目立たせて良好なイルミネーション効果を発揮させてアピールすることができ、これによっても集客力を高めることができる。
【００３４】
また、上記構成によれば、商品見本３として、実際の商品の後部に相当する部分がないもの（この実施の形態では断面半円形状、いわゆるカマボコ形状のもの）で構成し、この実際の商品の後部に相当する空間に、発光ダイオード２２を備えたディスプレイ部２０を配設しているので、商品見本３の代わりに、他の自動販売機用の商品見本や商品を配置することを阻止できる。つまり、ディスプレイ部２０が設けられていないと、見本棚４における商品見本３の後方に空きスペースがあるので、他の仕様の商品見本（例えば、他メーカーの商品に対応する商品見本、単なる円筒形状の商品見本等）などを強引に取り付けることも可能であるが、本発明によれば、ディスプレイ部２０を設けたことで、他メーカーの商品やこれに対応する商品見本を配置することを阻止できる。
【００３５】
また、自動販売機の製造メーカー等にとっては、一般の円筒形状の商品見本を展示させる構成とした自動販売機の外扉と、前後方向に同じ基本構成のものを用いて共通化することができ、製造コストの低減化を図ることができる。また、ディスプレイ部２０内を発光ダイオード２２の配置スペースとしても利用できる利点もある。
【００３６】
なお、上段の展示部５Ａの上部および左右両側部の枠状部２０ａに沿ってライン状に続くように並べた発光ダイオード２２と、上段の展示部５Ａに対応する商品選択釦７の販売可ランプ１７との両者を用いて、これらのライン状に並べられた複数の発光ダイオード（発光ダイオード２２と販売可ランプ１７の発光ダイオード）における隣接する発光ダイオードを時間差を有して順次点灯および消灯させるように制御部１２により制御可能に構成し、この設定とすることにより、複数の発光ダイオードにおいて、光が流れるように表示させてもよく、これにより、上段の展示部５Ａ並びにこの商品群をより良好に目立たせることができ、集客力をさらに高めることができる。
【００３７】
図５は、本発明の他の実施の形態に係る自動販売機の全体正面図である。この図に示すように、この実施の形態においては、上段の展示部５Ａの背面ディスプレイ部２０だけでなく、中段の展示部５Ｂの背面ディスプレイ部２０や、下段の展示部５Ｃの背面ディスプレイ部２０にも複数の発光ダイオード２２がライン状に続くように配設されている。
【００３８】
つまり、上段の展示部５Ａの背面ディスプレイ部２０と中段の展示部５Ｂの背面ディスプレイ部２０との左右の両側辺部分とにも、上下に枠状に延びる枠状部２０ａが設けられているとともに、この枠状部２０ａに沿って、複数の発光ダイオード２２がライン状に続くように所定間隔毎に並べて配設されている。そして、上段の展示部５Ａの枠状部２０ａおよび発光ダイオード２２の真下方向に、中段の展示部５Ｂの枠状部２０ａおよび発光ダイオード２２が続くように配置され、さらにこの中段の展示部５Ｂの枠状部２０ａおよび発光ダイオード２２の真下方向に、下段の展示部５Ｃの枠状部２０ａおよび発光ダイオード２２が続くように配置されている。
【００３９】
そして、設定装置１３の入力部１４に対して所定の入力操作を行うことで、全ての段の展示部５に対応する背面ディスプレイ部２０の発光ダイオード２２を、全て点灯させたり（図６（ａ）参照）、あるいは所定時間毎（例えば、数秒毎）に点灯消灯させたりできるよう構成されている。また、一つおきに、交互に点灯させる（間欠交互点滅と称す）ことも設定可能（図６（ｂ）参照）に構成され、さらには、図示しないが、商品選択釦７に設けられている販売可ランプ１７をも同時に点灯させることも可能に構成されている。
【００４０】
また、図７に示すように、上段、中段、下段の一部の展示部５に対応する背面ディスプレイ部２０の発光ダイオード２２だけを点灯させたり（図７（ａ）は上段の展示部５Ａの発光ダイオード２２を点灯させた状態を示し、図７（ｂ）は中段の展示部５Ｂの発光ダイオード２２を点灯させた状態を示し、図７（ｃ）は下段の展示部５Ｃの発光ダイオード２２を点灯させた状態を示すが、上段と中段など、２つの段の発光ダイオード２２を点灯させることも当然可能である）、あるいは所定時間毎（例えば、５秒毎）に点灯点滅させたり、一つおきに、交互に点灯させたり、商品選択釦７に設けられている販売可ランプ１７をも同時に点灯させたりすることも可能に構成されている。
【００４１】
この構成により、販売待機時に、全ての発光ダイオード２２を点灯させたり、点灯点滅させたりすることで、上中下段の展示部５、すなわち展示室６全体や自動販売機自体を良好に目立たせることができて、集客力をさらに高めることができる。また、ライン状に並べられた全ての発光ダイオード２２を交互に点灯させることで、さらに展示室６全体や自動販売機自体を一層目立たせることも可能であり、集客力を高めることができる。
【００４２】
また、一部の段の展示部５に対応する背面ディスプレイ部２０の発光ダイオード２２だけを点灯させたり、点灯点滅させたりすることで、その段の展示部５並びにその商品群を特に良好に目立たせることができて、売上を特に増加させたい商品群に対する集客力を高めることができる。
【００４３】
なお、何れかの段の背面ディスプレイ部２０の発光ダイオード２２だけを用いてもよいが、これに限るものではなく、目立たせたい段の展示部５を四方から囲むように、商品選択釦７に設けられている販売可ランプ１７をも用いるとよい（図７（ｃ）はこの例を示している）。この場合に、これらの発光ダイオード２２と販売可ランプ１７の発光ダイオードとの両者を用いて、隣接する発光ダイオードを時間差を有して順次点灯および消灯させるように制御部１２により制御させ、この設定とすることにより、複数の発光ダイオードにおいて、光が流れるように表示させてもよく、これにより、上段の展示部５Ａ並びにこの商品群をより良好に目立たせることができ、集客力をさらに高めることができる。
【００４４】
さらに、図８（ａ）〜（ｃ）に示すように、全ての段の背面ディスプレイ部２０の発光ダイオード２２および、商品選択釦７の販売可ランプ１７の発光ダイオードを用いて、これらの発光ダイオードで点灯する光が、下方または上方に移動しながら左側と右側とに折れ曲がるように、順次点灯、消灯させるように制御する機能を制御部１２に設けることにより、複数の発光ダイオードにおいて、光が、いわゆるジグザグ状に流れるように表示させることができて、各段の展示部の商品群をさらに目立たせることができ、集客力をさらに高めることができる。
【００４５】
また、制御部１２において、商品が販売された際に発光ダイオード（発光ダイオード２２、および販売可ランプ１７の発光ダイオード）を点滅させながら作動するルーレット機能を付加してもよい。
【００４６】
例えば、利用客が商品を購入すると、上記のように、光が、いわゆるジグザグ状に流れるように表示させ、その購入した商品に対応する販売可ランプ１７の発光ダイオードで停止した場合や、予め所定の場所を当たりとして表示しておき、その場所の発光ダイオードで停止した場合などに、当たりとしてもう１本商品を払い出すよう構成するなどしてもよく、これによれば、さらにルーレット機能の面白さを加えることができ、集客力を一層高めることができる。
【００４７】
また、上記実施の形態では、展示部５が上段、中段、下段の３段設けられている場合を述べたが、これに限るものではなく、２段や、４段以上設けられている場合にも同様な構成を適用可能であることはもちろんである。
【図面の簡単な説明】
【００４８】
【図１】本発明の実施の形態に係る自動販売機の全体正面図である。
【図２】同自動販売機の前面扉を開けた状態を示す斜視図である。
【図３】（ａ）および（ｂ）は同自動販売機の平面断面図および側面断面図である。
【図４】（ａ）〜（ｃ）はそれぞれ同自動販売機の発光ダイオードの点灯例を示す要部正面図である。
【図５】本発明の他の実施の形態に係る自動販売機の全体正面図である。
【図６】（ａ）および（ｂ）はそれぞれ同自動販売機の発光ダイオードの点灯例を示す要部正面図である。
【図７】（ａ）〜（ｃ）はそれぞれ同自動販売機の発光ダイオードの点灯例を示す要部正面図である。
【図８】（ａ）〜（ｃ）はそれぞれ同自動販売機の発光ダイオードの点灯例を示す要部正面図である。
【符号の説明】
【００４９】
１      自動販売機本体
２      外扉
３      商品見本
４      見本棚
５、５Ａ、５Ｂ、５Ｃ    展示部
６      展示室
７      商品選択釦
１７    販売可ランプ
１２    制御部
１３    設定装置
１４    入力部
２０    ディスプレイ部
２０ａ  枠状部
２２    発光ダイオード
【図１】
2008021192.tif 000003
【図２】
2008021192.tif 000004
【図３】
2008021192.tif 000005
【図４】
2008021192.tif 000006
【図５】
2008021192.tif 000007
【図６】
2008021192.tif 000008
【図７】
2008021192.tif 000009
【図８】
2008021192.tif 000010